【手続補正書】
【提出日】平成20年1月23日(2008.1.23)
【手続補正１】
【補正対象書類名】明細書
【補正対象項目名】特許請求の範囲
【補正方法】変更
【補正の内容】
【特許請求の範囲】
【請求項１】  録画装置及び予約端末が予約サーバに通信接続された遠隔番組予約システムであって、
前記予約サーバは、放送予定番組の情報を記憶する番組情報記憶手段と、
前記予約端末に番組情報を送信する番組情報送信手段と、
当該予約端末で選択された番組情報を表す放送局固有情報と放送時間を含む番組予約情報を生成する生成手段と、
当該生成手段で生成された番組予約情報を録画装置に送信する予約情報送信手段を備え、
前記録画装置は、前記予約サーバから出力される予約情報を受信する予約情報受信手段と、
該予約情報に含まれる放送局固有情報から録画予約チャンネルを決定するチャンネル変換手段と、
該決定されたチャンネルで番組を受信する番組受信手段と、
該受信した番組を記録する番組記録手段を備え、
前記予約端末は、前記予約サーバから送信される番組情報を受信し表示する番組情報表示手段と、
該番組情報から選択された所望の番組情報を前記予約サーバに送信する番組選択手段を備えることを特徴とする遠隔番組予約システム。
【請求項２】  予約端末及び録画装置と通信接続され、前記予約端末によって選択された番組を前記録画装置に録画予約を行う予約サーバであって、
放送予定番組の情報を記憶する番組情報記憶手段と、
前記予約端末に番組情報を送信する番組情報送信手段と、
当該予約端末で選択された番組情報を表す放送局固有情報と放送時間を含む番組予約情報を生成する生成手段と、
当該生成手段で生成された番組予約情報を録画装置に送信する予約情報送信手段を備えることを特徴とする予約サーバ。
【請求項３】  予約端末と接続する予約サーバと通信接続される録画装置であって、
予約サーバから出力される予約情報を受信する予約情報受信手段と、
該予約情報に含まれる放送局固有情報から録画予約チャンネルを決定するチャンネル変換手段と、
該決定されたチャンネルで番組を受信する番組受信手段と、
該受信した番組を記録する番組記録手段を備えることを特徴とする録画装置。
【請求項４】  予約端末毎に前記予約情報の送信先の録画装置のアドレスを記憶するアドレス記憶手段を備えることを特徴とする請求項２に記載の予約サーバ。
【請求項５】  予約認証のためのパスワードを記憶する予約認証手段を備えることを特徴とする請求項３に記載の録画装置。
【請求項６】  予約端末毎に対応する録画装置の予約認証のためのパスワードを記憶する記憶手段を更に備えることを特徴とする請求項４に記載の予約サーバ。
【請求項７】  予約端末毎に録画予約した番組情報の履歴を記憶する予約履歴記憶手段を備えることを特徴とする請求項２、４、６のいずれかに記載の予約サーバ。
【請求項８】  前記予約履歴記憶手段に含まれる番組情報に類似する番組情報を持つ番組を見つける類似番組検索手段と、
当該類似番組の情報を送信する類似番組送信手段を備えることを特徴とする請求項７に記載の予約サーバ。
【請求項９】  ユーザが録画予約した番組の番組情報に多く含まれていたキーワードから、ユーザが嗜好するキーワードを推測する手段と、
次回、当該キーワードを含む番組がある場合、録画装置にメールで伝達する手段を備えることを特徴とする請求項８に記載の予約サーバ。
【手続補正２】
【補正対象書類名】明細書
【補正対象項目名】０００７
【補正方法】変更
【補正の内容】
【０００７】
【課題を解決するための手段】
本発明の第１の技術手段は、録画装置及び予約端末が予約サーバに通信接続された遠隔番組予約システムであって、前記予約サーバは、放送予定番組の情報を記憶する番組情報記憶手段と、前記予約端末に番組情報を送信する番組情報送信手段と、当該予約端末で選択された番組情報を表す放送局固有情報と放送時間を含む番組予約情報を生成する生成手段と、当該生成手段で生成された番組予約情報を録画装置に送信する予約情報送信手段を備え、前記録画装置は、前記予約サーバから出力される予約情報を受信する予約情報受信手段と、該予約情報に含まれる放送局固有情報から録画予約チャンネルを決定するチャンネル変換手段と、該決定されたチャンネルで番組を受信する番組受信手段と、該受信した番組を記録する番組記録手段を備え、前記予約端末は、前記予約サーバから送信された番組情報を受信し表示する番組情報表示手段と、該番組情報から選択された所望の番組情報を前記予約サーバに送信する番組選択手段を備える遠隔予約システムを特徴とする。
【手続補正３】
【補正対象書類名】明細書
【補正対象項目名】０００８
【補正方法】変更
【補正の内容】
【０００８】
第２の技術手段は、予約端末及び録画装置と通信接続され、前記予約端末によって選択された番組を前記録画装置に録画予約を行う予約サーバであって、放送予定番組の情報を記憶する番組情報記憶手段と、予約端末に番組情報を送信する番組情報送信手段と、当該予約端末で選択された番組情報を表す放送局固有情報と放送時間を含む番組予約情報を生成する生成手段と、当該生成手段で生成された番組予約情報を録画装置に送信する予約情報送信手段を備える予約サーバを特徴とする。
【手続補正４】
【補正対象書類名】明細書
【補正対象項目名】０００９
【補正方法】変更
【補正の内容】
【０００９】
第３の技術手段は、予約端末と接続する予約サーバと通信接続される録画装置であって、予約サーバから出力される予約情報を受信する予約情報受信手段と、該予約情報に含まれる放送局固有情報から録画予約チャンネルを決定するチャンネル変換手段と、該決定されたチャンネルで番組を受信する番組受信手段と、該受信した番組を記録する番組記録手段を備える録画装置を特徴とする。
【手続補正５】
【補正対象書類名】明細書
【補正対象項目名】００１０
【補正方法】変更
【補正の内容】
【００１０】
第４の技術手段は、第２の技術手段において、予約端末毎に前記予約情報の送信先の録画装置のアドレスを記憶するアドレス記憶手段を備える予約サーバを特徴とする。
また、第５の技術手段は、第３の技術手段において、予約認証のためのパスワードを記憶する予約認証手段を備える録画装置を特徴とする。
【手続補正６】
【補正対象書類名】明細書
【補正対象項目名】００１１
【補正方法】変更
【補正の内容】
【００１１】
第６の技術手段は、第４の技術手段において、予約端末毎に対応する録画装置の予約認証のためのパスワードを記憶する記憶手段を更に備える予約サーバを特徴とする。
また、第７の技術手段は、第２、第４または第６の技術手段において、予約端末毎に録画予約した番組情報の履歴を記憶する予約履歴記憶手段を備える予約サーバを特徴とする。
【手続補正７】
【補正対象書類名】明細書
【補正対象項目名】００１２
【補正方法】変更
【補正の内容】
【００１２】
第８の技術手段は、第７の技術手段において、前記予約履歴記憶手段に含まれる番組情報に類似する番組情報を持つ番組を見つける類似番組検索手段と、当該類似番組の情報を送信する類似番組送信手段を備える予約サーバを特徴とする。
【手続補正８】
【補正対象書類名】明細書
【補正対象項目名】００１３
【補正方法】変更
【補正の内容】
【００１３】
第９の技術手段は、第８の技術手段において、ユーザが遠隔録画予約した番組の番組情報に多く含まれていたキーワードから、ユーザが嗜好するキーワードを推測する手段と、次回、当該キーワードを含む番組がある場合、録画装置にメールで伝達する手段を備える予約サーバを特徴とする。
【手続補正９】
【補正対象書類名】明細書
【補正対象項目名】００１４
【補正方法】変更
【補正の内容】
【００１４】
【発明の実施形態】
本発明による遠隔予約システムの実施形態を、図面に基づいて、以下に説明する。
図１は、本発明のシステム全体概要図を表す。
詳細の実施形態は、後述し、おおまかなシステムについて説明する。
予約端末３は、インターネット経由で、遠隔地にある予約サーバ２に、インターネット４を介してＨＴＴＰ接続し、予約サーバ２上に記憶された番組表（ＥＰＧ；Erectronic program Guide）を予約端末３の画面に表示する。
予約端末３で、利用者が番組表から、予約したい番組を選択すると、予約サーバ２は、それをインターネット４を介して検出し、予め登録された録画装置（以下録画サーバと記す）１のメールアドレスに予約メールを送信する。
録画サーバ１は、当該メールをインターネット４を介して受信すると、本文の内容から、受信した録画予約メールかどうかを判断し、録画予約メールであると判定した場合は、録画予約登録する。
録画サーバ１は、時刻が、録画予約テーブルに記載された番組の開始時刻になると録画を開始する。